(57)【要約】【課題】ハードウェア資源を有効的に利用して機能性および利便性を向上させることのできる画像処理システムを提供する。【解決手段】装置自身に関する情報を表示する第１の情報表示手段（第１の操作パネル１００）を備える第１の画像処理装置（プリンタ装置ＰＲ１）と、装置自身に関する情報を表示する第２の情報表示手段（第２の操作パネル２００）を備え、第１の画像処理装置と接続される第２の画像処理装置（スキャナ装置ＳＣ１）と、表示機能に関する情報を取得する取得手段と、取得結果に応じて表示手段を選択する選択手段（選択部２０２）と、選択された第１の表示手段または第２の表示手段を用いて利用可能となる機能を設定する設定手段（設定部２０３）と、選択された表示手段を用いて、設定された利用可能となる機能に関する情報の表示を制御する制御手段（制御部２０５）とを少なくとも備える。【選択図】図２
2010199808.tif 000002
【特許請求の範囲】
【請求項１】
装置自身に関する情報を表示する第１の情報表示手段を備える少なくとも一つの第１の画像処理装置と、
装置自身に関する情報を表示する第２の情報表示手段を備え、通信手段を介して前記第１の画像処理装置と接続される少なくとも一つの第２の画像処理装置と、
前記第１の表示手段および前記第２の表示手段の表示機能に関する情報を取得する取得手段と、
該取得手段による取得結果に応じて前記第１の表示手段または前記第２の表示手段を選択する選択手段と、
該選択手段で選択された前記第１の表示手段または前記第２の表示手段を用いて利用可能となる機能を設定する設定手段と、
前記選択手段で選択された前記第１の表示手段または前記第２の表示手段を用いて、前記設定手段で設定された利用可能となる機能に関する情報の表示を制御する制御手段と、
を少なくとも備えることを特徴とする画像処理システム。
【請求項２】
前記第１の表示手段および前記第２の表示手段は、表示機能と共に各装置が有する機能を操作する操作機能を備える操作パネルで構成されることを特徴とする請求項１に記載の画像処理システム。
【請求項３】
前記表示機能に関する情報は、前記操作パネルの表示領域の面積、画素密度、表示色数、解像度に関する情報の少なくとも一つを含むことを特徴とする請求項１または請求項２の何れかに記載の画像処理システム。
【請求項４】
前記表示機能に関する情報は、装置識別情報、イメージグラフィック情報、表示文字コード情報の少なくとも一つを含むことを特徴とする請求項１から請求項３の何れかに記載の画像処理システム。
【請求項５】
前記利用可能となる機能に関する情報は、前記第１の画像処理装置または前記第２の画像処理装置が備える格納手段に格納されることを特徴とする請求項１から請求項４の何れかに記載の画像処理システム。
【請求項６】
前記利用可能となる機能に関する情報は、前記通信手段を介して接続される外部記憶装置に格納されることを特徴とする請求項１から請求項４の何れかに記載の画像処理システム。
【請求項７】
前記制御手段は、
前記第１の表示手段または前記第２の表示手段に、前記利用可能となる機能の操作方法に関する情報を表示させることを特徴とする請求項１から請求項６の何れかに記載の画像処理システム。
【請求項８】
前記第１の画像処理装置はプリンタ装置で構成され、前記第２の画像処理装置はスキャナ装置で構成されることを特徴とする請求項１から請求項７の何れかに記載の画像処理システム。
【請求項９】
第１の表示手段および第２の表示手段の表示機能に関する情報を取得する取得処理過程と、
該取得処理過程による取得結果に応じて前記第１の表示手段または前記第２の表示手段を選択する選択処理過程と、
該選択処理過程で選択された前記第１の表示手段または前記第２の表示手段を用いて利用可能となる機能を設定する設定処理過程と、
前記選択処理過程で選択された前記第１の表示手段または前記第２の表示手段を用いて、前記設定処理過程で設定された利用可能となる機能に関する情報の表示を制御する制御処理過程と、
を演算手段に実行させることを特徴とする表示制御プログラム。
【発明の詳細な説明】
【技術分野】
【０００１】
本発明は、画像処理システムおよび表示制御プログラムに関するものである。
【背景技術】
【０００２】
最近、スキャナにプリンタを直接接続あるいはネットワーク接続し、スキャナで読み取った画像をコピージョブとしてプリンタに送信することで、パーソナルコンピュータを介さずにコピー機能を実現する画像処理システムが提案されている。
【０００３】
このようなシステムにおいては、スキャナに接続されるプリンタの機種は一定ではなく、その機能については種々のものが接続され得る。
【０００４】
上述のような画像処理技術に関する先行技術としては、特開２００２−３０５６１３号公報などがある。
【０００５】
特開２００２−３０５６１３号公報には、テンキーを有する画像読み取り装置（スキャナ装置）と、テンキーを有さずにパネル表示機能を有するプリンタ装置と、画像読み取り装置とプリンタ装置間を接続するネットワークとから構成される画像形成装置において、プリンタ装置の印字枚数の設定を、ネットワークを通した画像読み取り装置のテンキーから設定する技術が開示されている。
【特許文献１】特開２００２−３０５６１３号公報
【発明の開示】
【発明が解決しようとする課題】
【０００６】
本発明は、ハードウェア資源を有効的に利用して機能性および利便性を向上させることのできる画像処理システムおよび表示制御プログラムを提供することを目的とする。
【課題を解決するための手段】
【０００７】
前記課題を解決するため、請求項１の発明に係る画像処理システムは、装置自身に関する情報を表示する第１の情報表示手段を備える少なくとも一つの第１の画像処理装置と、装置自身に関する情報を表示する第２の情報表示手段を備え、通信手段を介して前記第１の画像処理装置と接続される少なくとも一つの第２の画像処理装置と、前記第１の表示手段および前記第２の表示手段の表示機能に関する情報を取得する取得手段と、該取得手段による取得結果に応じて前記第１の表示手段または前記第２の表示手段を選択する選択手段と、該選択手段で選択された前記第１の表示手段または前記第２の表示手段を用いて利用可能となる機能を設定する設定手段と、前記選択手段で選択された前記第１の表示手段または前記第２の表示手段を用いて、前記設定手段で設定された利用可能となる機能に関する情報の表示を制御する制御手段とを少なくとも備えることを特徴とする。
【０００８】
請求項２の発明に係る画像処理システムは、請求項１に記載の発明について、前記第１の表示手段および前記第２の表示手段は、表示機能と共に各装置が有する機能を操作する操作機能を備える操作パネルで構成されることを特徴とする。
【０００９】
請求項３の発明に係る画像処理システムは、請求項１または請求項２の何れかに記載の発明について、前記表示機能に関する情報は、前記操作パネルの表示領域の面積、画素密度、表示色数、解像度に関する情報の少なくとも一つを含むことを特徴とする。
【００１０】
請求項４の発明に係る画像処理システムは、請求項１から請求項３の何れかに記載の発明について、前記表示機能に関する情報は、装置識別情報、イメージグラフィック情報、表示文字コード情報の少なくとも一つを含むことを特徴とする。
【００１１】
請求項５の発明に係る画像処理システムは、請求項１から請求項４の何れかに記載の発明について、前記利用可能となる機能に関する情報は、前記第１の画像処理装置または前記第２の画像処理装置が備える格納手段に格納されることを特徴とする。
【００１２】
請求項６の発明に係る画像処理システムは、請求項１から請求項４の何れかに記載の発明について、前記利用可能となる機能に関する情報は、前記通信手段を介して接続される外部記憶装置に格納されることを特徴とする。
【００１３】
請求項７の発明に係る画像処理システムは、請求項１から請求項６の何れかに記載の発明について、前記制御手段は、前記第１の表示手段または前記第２の表示手段に、前記利用可能となる機能の操作方法に関する情報を表示させることを特徴とする。
【００１４】
請求項８の発明に係る画像処理システムは、請求項１から請求項７の何れかに記載の発明について、前記第１の画像処理装置はプリンタで構成され、前記第２の画像処理装置はスキャナで構成されることを特徴とする。
【００１５】
請求項９の発明に係る表示制御プログラムは、第１の表示手段および第２の表示手段の表示機能に関する情報を取得する取得処理過程と、該取得処理過程による取得結果に応じて前記第１の表示手段または前記第２の表示手段を選択する選択処理過程と、該選択処理過程で選択された前記第１の表示手段または前記第２の表示手段を用いて利用可能となる機能を設定する設定処理過程と、前記選択処理過程で選択された前記第１の表示手段または前記第２の表示手段を用いて、前記設定処理過程で設定された利用可能となる機能に関する情報の表示を制御する制御処理過程とを演算手段に実行させることを特徴とする。
【発明の効果】
【００１６】
本発明によれば以下の効果を奏することができる。
【００１７】
すなわち、請求項１に記載の発明によれば、本構成を有していない場合に比較して、選択手段で選択された第１の表示手段または第２の表示手段を用いて、設定手段で設定された利用可能となる機能に関する情報の表示を制御するので、システムが有するハードウェア資源を有効的に利用して、装置自身が備える表示手段では利用できない機能を他の装置の表示手段を用いて利用可能とし、機能性および利便性を向上させることができるという効果がある。
【００１８】
請求項２に記載の発明によれば、本構成を有していない場合に比較して、第１の表示手段および第２の表示手段は、表示機能と共に各装置が有する機能を操作する操作機能を備える操作パネルで構成されるので、ハードウェア資源を有効的に利用して機能性および利便性を向上させることができる。
【００１９】
請求項３に記載の発明によれば、本構成を有していない場合に比較して、機能利用により適した表示手段を選択することができる。
【００２０】
請求項４に記載の発明によれば、本構成を有していない場合に比較して、機能利用により適した表示手段を選択することができる。
【００２１】
請求項５に記載の発明によれば、本構成を有していない場合に比較して、ハードウェア資源を有効的に活用して機能性および利便性を一層向上させることができる。
【００２２】
請求項６に記載の発明によれば、本構成を有していない場合に比較して、ハードウェア資源を有効的に活用して機能性および利便性を一層向上させることができる。
【００２３】
請求項７に記載の発明によれば、本構成を有していない場合に比較して、操作ミスを防止して利便性を一層向上させることができる。
【００２４】
請求項８に記載の発明によれば、本構成を有していない場合に比較して、プリンタ装置またはスキャナ装置のハードウェア資源を有効的に活用して機能性および利便性を一層向上させることができる。
【００２５】
請求項９に記載の発明によれば、本構成を有していない場合に比較して、画像処理システムが有するハードウェア資源を有効的に利用して、機能性および利便性を向上させることができるという効果がある。
【発明を実施するための最良の形態】
【００２６】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２７】
図１から図７を参照して、本発明についての実施の形態に係る画像処理システムＳ１について説明する。
【００２８】
図１および図２に示すように、画像処理システムＳ１は、装置自身に関する情報を表示する機能と共に操作する機能を備えたタッチパネル等で構成される第１の操作パネル１００（第１の情報表示手段の一例）を少なくとも備えるプリンタ装置ＰＲ１（第１の画像処理装置の一例）と、装置自身に関する情報を表示する機能と共に操作する機能を備えたタッチパネル等で構成される第２の操作パネル２００（第２の情報表示手段の一例）を少なくとも備え、ＬＡＮ等のネットワークＮ（通信手段の一例）を介して第１の画像処理装置ＰＲ１と接続されるスキャナ装置ＳＣ１（第２の画像処理装置の一例）と、プリンタ装置ＰＲ１またはスキャナ装置ＳＣ１についての利用可能となる機能に関する情報を格納するサーバＳＡ（外部記憶装置の一例）と、プリンタ装置ＰＲ１に印刷データや画像データを送信するパーソナルコンピュータあるいはホストコンピュータ等で構成される情報処理装置ＰＣ１とを少なくとも備える。
【００２９】
プリンタ装置ＰＲ１およびスキャナ装置ＳＣ１について、本発明と直接関係しない構成については図示および説明を省略する。
【００３０】
なお、本実施の形態では、プリンタ装置ＰＲ１およびスキャナ装置ＳＣ１は、それぞれ１台がネットワークＮに接続されるが、これに限らず、それぞれ２台以上を接続する場合であってもよい。
【００３１】
また、プリンタ装置ＰＲ１の印刷方式は、特には限定されず、レーザプリンタ、フルカラープリンタ、複合機、インクジェット方式のプリンタ等の何れであってもよい。
【００３２】
また、スキャナ装置ＳＣ１の読み取り方式も特には限定されず、Ｃｈａｒｇｅ  Ｃｏｕｐｌｅｄ  Ｄｅｖｉｃｅｓ（ＣＣＤ）方式、Ｃｏｎｔａｃｔ  Ｉｍａｇｅ  Ｓｅｎｓｏｒ（ＣＩＳ）方式等の何れであってもよい。
【００３３】
また、プリンタ装置ＰＲ１とスキャナ装置ＳＣ１は、ネットワークＮ経由の外に、ローカル線（ＵＳＢインターフェイスを介したＵＳＢケーブル等）Ｃでも接続されているが、本発明においては、少なくとも一方で接続されていれば足りる。
【００３４】
また、特に限定されるものではないが、本実施の形態においては、スキャナ装置ＳＣ１が備える第２の操作パネル２００の方が、プリンタ装置ＰＲ１が備える第１の操作パネル１００よりも表示領域の面積、画素密度、表示色数、解像度等において機能的、性能的に優れているものとする。
【００３５】
例えば、プリンタ装置ＰＲ１側は、後述するように、動作状態を表示するためのＬＥＤ（第１の情報表示手段の一例）のみの表示系しか有しない場合であってもよい。
【００３６】
なお、第１の操作パネル１００と第２の操作パネル２００の機能あるいは性能の優劣は、表示機能に関する情報として、上記の表示領域の面積、画素密度、表示色数、解像度等の情報を取得して比較してもよいし、或いは装置識別情報、イメージグラフィック情報、表示文字コード情報の少なくとも一つを含む情報に基づいて比較してもよい。
【００３７】
これらの表示機能に関する情報をネットワークＮを介して取得するために、プリンタ装置ＰＲ１およびスキャナ装置ＳＣ１は、取得部１０１、２０１（取得手段の一例）をそれぞれ備えている。
【００３８】
なお、上記の例では、プリンタ装置ＰＲ１およびスキャナ装置ＳＣ１は、表示する機能と共に操作する機能を備えたタッチパネル等を備える場合について述べたが、これに限らず、プリンタ装置ＰＲ１またはスキャナ装置ＳＣ１の一方の表示手段が、ＬＥＤ等のセグメント表示あるいはＬＥＤ等の点灯、点滅による表示のみである場合や、一部の操作をタッチパネル等で行い、その他は押しボタン型の操作キーで行う場合を含む。
【００３９】
また、プリンタ装置ＰＲ１およびスキャナ装置ＳＣ１は、各取得部１０１、２０１による取得結果に応じて第１の操作パネル１００または第２の操作パネル２００を選択する選択部１０２、２０２（選択手段の一例）をそれぞれ備えている。
【００４０】
プリンタ装置ＰＲ１およびスキャナ装置ＳＣ１は、選択部１０２、２０２で選択された第１の操作パネル１００または第２の操作パネル２００を用いて利用可能となる機能を設定する設定部１０３、２０３（設定手段の一例）をそれぞれ備えている。
【００４１】
また、選択部１０２、２０２で選択された第１の操作パネル１００または第２の操作パネル２００を用いて、設定部１０３、２０３で設定された利用可能となる機能に関する情報の表示を制御するマイクロコンピュータ等で構成される制御部１０５、２０５（制御手段の一例）をそれぞれ備えている。
【００４２】
上述のように、本実施の形態においては、第２の操作パネル２００の方が機能的、性能的に第１の操作パネル１００を上回っているので、結果的には、プリンタ装置ＰＲ１およびスキャナ装置ＳＣ１の何れにおいても第２の操作パネル２００を共用の表示手段として用いることとなる。
【００４３】
なお、スキャナ装置ＳＣ１の第２の操作パネル２００は、高機能の表示を行うために、いわゆるＧＵＩ（Ｇｒａｐｈｉｃａｌ  Ｕｓｅｒ  Ｉｎｔｅｒｆａｃｅ）を備えている。
【００４４】
ここで、ＧＵＩとは、ユーザに対する情報の表示にグラフィックを多用し、大半の基礎的な操作をマウスなどのポインティングデバイスによって行なうことができるユーザインターフェイスのことをいう。なお、タッチパネルにおいては、マウス等を要さずに、所望の表示箇所を指やタッチペン（スタイラス）等で押圧することにより操作できるようになっている。
【００４５】
制御部２０５は、第２の操作パネル２００を用いて、設定部２０３で設定された利用可能となる機能に関する情報を表示する。
【００４６】
利用可能となる機能に関する情報（操作パネルリソース管理テーブル）については、後述する。
【００４７】
利用可能となる機能に関する情報は、プリンタ装置ＰＲ１またはスキャナ装置ＳＣ１が備えるハードディスク装置や不揮発性メモリ等で構成される格納部１０３（格納手段の一例）、またはネットワークＮを介して接続されるサーバＳＡ（外部記憶手段の一例）に格納されている。
【００４８】
また、制御部１０５、２０５は、第１の操作パネル１００または第２の操作パネル２００に、利用可能となる機能の操作方法に関する情報（ガイド情報等）を表示させるようにできる。
【００４９】
これにより、ユーザは、ガイド情報等を参照して、新たに利用可能となった機能に関する操作することができるので、操作ミスが防止され、利便性が一層向上される。
【００５０】
また、スキャナ装置ＳＣ１は、自動原稿送り装置（オートシートフィーダー）２５１にセットされた原稿を原稿読取部２５２で読み取って画像データを得るようになっている。
【００５１】
読み取られた画像データは、画像処理部２５３で出力に適した画像に処理され、通信部２５０を介して情報処理装置ＰＣ１に転送される。
【００５２】
プリンタ装置ＰＲ１は、情報処理装置ＰＣ１より送信された印刷データまたは画像データを通信部１５０から受信し、制御部１０５でビットマップデータに展開し、印刷部１５１によって印刷される。
【００５３】
ここで、スキャナ装置ＳＣ１とプリンタ装置ＰＲ１は、スキャナ装置ＳＣ１の通信部２５４とプリンタ装置ＰＲ１の通信部１５２を接続することでコピーシステム（スキャナプリンタシステム）を構築することができる。
【００５４】
なお、各装置の通信部１５２、２５４は、相互取り決めのプロトコルにより双方向に通信可能であれば、専用のローカルインターフェイスであっても、通信部１５０、２５０と物理的に兼用のインターフェイスであってもよい。
【００５５】
次に、図３の通信シーケンスを参照して、本実施の形態に係る画像処理システムＳ１の動作について説明する。
【００５６】
なお、図３は、スキャナ装置ＳＣ１およびプリンタ装置ＰＲ１の接続時における通信シーケンスである。
【００５７】
まず、スキャナ装置ＳＣ１は、通信部２５４経由でプリンタ装置ＰＲ１に対し、接続要求コマンドを発行する。
【００５８】
プリンタ装置ＰＲ１は、接続可能状態である場合には、接続可である旨の応答コマンド（ＯＫ）を返す。
【００５９】
続いてスキャナ装置ＳＣ１は、プリンタ装置ＰＲ１に対し、プリンタ情報の送信を要求するコマンドを発行する。
【００６０】
プリンタ情報としては、「製品名」、「カラー印刷の可／不可」、「トレイ構成」、「サポート可能な用紙サイズ／紙質」などの情報が挙げられる。
【００６１】
プリンタ装置ＰＲ１は、要求されたプリンタ情報をスキャナ装置ＳＣ１に送信する。
【００６２】
スキャナ装置ＳＣ１は、取得した前記プリンタ情報を元に、コピー機能における用紙サイズやトレイの選択肢を決定する。
【００６３】
一方、プリンタ装置ＰＲ１は、スキャナ装置ＳＣ１に対し、操作パネル情報の通知を要求する。
【００６４】
ここで、図４を参照して、スキャナ装置ＳＣ１の操作パネル（第２の操作パネル）２００の構成例について説明する。
【００６５】
操作パネル２００は、装置の状態や設定内容を表示するための液晶画面３０１と、各種動作の実行を指示するためのスタートキー３０２と、設定の解除や各種処理の中止指示を行うためのクリアキー３０３と、選択的な操作を行うための矢印キー３０４と、部数等の数値情報を入力するためのテンキー３０５と、メニュー操作を行うためのメニューキー３０６などから構成される。
【００６６】
一方、図示は省略するが、プリンタ装置ＰＲ１は、動作状態を表示するためのＬＥＤ（第１の情報表示手段の一例）を数個有するのみで、操作キー自体を持たないものとする。
【００６７】
プリンタ装置ＰＲ１は、スキャナ装置ＳＣ１に対して操作パネル情報取得要求を実行する。
【００６８】
プリンタ装置ＰＲ１は、単体（スキャナ装置ＳＣ１と接続していない状態）では、操作パネルの表示能力上の制限から利用できない機能の実行プログラム（機能群）を、予め複数種類にわたって保持している。
【００６９】
また、前記機能群に最低限必要となる操作パネルリソースとの関係をテーブルデータとして管理している。
【００７０】
図５に、操作パネルリソースの管理テーブルの構成例を示す。
【００７１】
ここで操作パネルリソースとは、表示用リソース（液晶モニタやＣＲＴモニタなど）や操作用リソース（ハードウェアキーや仮想的なソフトウェアキーなど）に代表されるリソースであるが、これらに限定されるものではない。
【００７２】
プリンタ装置ＰＲ１は、図５に示すような管理テーブルに基づき、スキャナ装置ＳＣ１の操作パネルリソース情報を取得し、対応する機能の拡張（利用）が可能か否かを判断する。
【００７３】
例えば、図５に示した操作パネルリソースの中で、液晶パネル、スタートキー、クリアキーのみが存在し、メニューキーや矢印キーが装備されていないスキャナ装置との接続では「ジョブキャンセル」および「両面印刷（手動）」機能は提供可能であるが、複雑なメニュー操作を要する「蓄積印刷」やプリンタ装置の「メニュー操作」機能は提供できないことを意味する。
【００７４】
次に、図６のフローチャートを参照して、本実施の形態に係る画像処理システムＳ１で実行される利用機能決定処理の処理手順について説明する。
【００７５】
ステップＳ１０では、操作パネルリソース情報（リソースｎ：ｎは整数）の有無を確認してステップＳ１１に移行する。
【００７６】
ステップＳ１１では、全てのリソース情報を取得したか否かが判定され、「Ｎｏ」の場合にはｎを「１」インクリメントしてステップＳ１０に戻り、「Ｙｅｓ」の場合にはステップＳ１２に移行する。
【００７７】
ステップＳ１２では、リソースデータ情報更新処理のサブルーチンが実行され、ステップＳ１３に移行する。
【００７８】
ステップＳ１３では、機能ｍ（ｍは整数）は実行可能か否かが判定され、「Ｎｏ」の場合にはステップＳ１５に移行し、「Ｙｅｓ」の場合にはステップＳ１４に移行して機能ｍをイネーブル（利用可能状態）してからステップＳ１５に移行する。
【００７９】
ステップＳ１５では、全ての機能をチェック済みか否かが判定され、「Ｎｏ」の場合にはｍを「１」インクリメントしてステップＳ１３に移行し、「Ｙｅｓ」の場合には処理を終了する。
【００８０】
このように、操作パネルリソース情報の取得処理が完了するとスキャナ装置ＳＣ１は、プリンタ装置ＰＲ１に対し各拡張機能の提供有無および提供機能の操作上必要となるリソース情報やキーアサイン情報の送信を要求する。
【００８１】
また、プリンタ装置ＰＲ１上で提供可能な各拡張機能プログラムの実行を有効状態とする。
【００８２】
プリンタ装置ＰＲ１は、利用機能決定処理に従って決定された拡張機能の情報および必要なリソース情報やキーアサイン情報をスキャナ装置ＳＣ１に送信する。
【００８３】
スキャナ装置ＳＣ１は、プリンタ装置ＰＲ１から通知された拡張機能情報を第２の操作パネル２００を用いて提供する。
【００８４】
これにより、画像処理システムＳ１が有するハードウェア資源を有効的に利用して、装置自身が備える表示能力では利用できない機能を他の装置の表示装置を用いて利用可能とし、機能性および利便性が向上される。
【００８５】
次に、図８を参照して、スキャナ装置ＳＣ１およびプリンタ装置ＰＲ１の接続時の他の通信シーケンスについて説明する。
【００８６】
スキャナ装置ＳＣ１は、通信部２５４経由でプリンタ装置ＰＲ１に対し、接続要求コマンドを発行する。
【００８７】
プリンタ装置ＰＲ１は、接続可能状態である場合には、接続可である旨の応答コマンド（ＯＫ）を返す。
【００８８】
続いてスキャナ装置ＳＣ１は、プリンタ装置ＰＲ１に対し、プリンタ情報の送信を要求するコマンドを発行する。
【００８９】
このときスキャナ装置ＳＣ１は、基本的なプリンタ情報として、「製品名」、「カラー印刷の可／不可」、「トレイ構成」、「サポート可能な用紙サイズ／紙質」などの情報を取得するが、更にプリンタ装置ＰＲ１でディセーブル（利用不可状態）になっている追加機能の情報および必要なリソース情報も取得する。
【００９０】
スキャナ装置ＳＣ１は、取得した情報を元に、追加機能の中で利用可能となる機能をプリンタ装置ＰＲ１に通知する。
【００９１】
これにより、画像処理システムＳ１が有するハードウェア資源を有効的に利用して、装置自身が備える表示能力では利用できない機能を他の装置の表示装置を用いて利用可能とし、機能性および利便性が向上される。
【００９２】
以上述べたように、本実施の形態に係る画像処理システムＳ１によれば、パネル表示能力や操作能力が乏しい低価格のプリンタ装置であっても、接続されるスキャナ装置のパネル性能（装備）に応じて高度な機能が提供される。
【００９３】
また、能力に応じて利用可能となる機能を切り替えることが可能であるため、複数種の装置間でのコネクティビティが向上される。
【００９４】
また、スキャナ装置のパネル性能の取得や、イネーブル機能の通知方法に関する手順をデバイス管理プロトコル上で標準化することにより、異なるメーカーの機器同士間の接続も可能となる。
【００９５】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【００９６】
また、プログラムを用いる場合には、ネットワークを介して提供し、或いはＣＤ−ＲＯＭ等の記録媒体に格納して提供することが可能である。
【００９７】
即ち、画像処理プログラムを含む所定のプログラムを記録媒体としてのハードディスク等の記憶装置に記録する場合に限らず、当該所定のプログラムを次のようにして提供することも可能である。
【００９８】
例えば、所定のプログラムをＲＯＭに格納しておき、ＣＰＵが、この所定のプログラムをこのＲＯＭから主記憶装置へローディングして実行するようにしてもよい。
【００９９】
また、上記所定のプログラムを、ＤＶＤ−ＲＯＭ、ＣＤ−ＲＯＭ、ＭＯ（光磁気ディスク）、フレキシブルディスク、などのコンピュータ読み取り可能な記録媒体に格納して配布するようにしてもよい。
【０１００】
さらには、画像処理装置等を通信回線（例えばインターネット）を介してサーバ装置あるいはホストコンピュータと接続するようにし、サーバ装置あるいはホストコンピュータから上記所定のプログラムをダウンロードした後、この所定のプログラムを実行するようにしてもよい。この場合、この所定のプログラムのダウンロード先としては、ＲＡＭ等のメモリやハードディスクなどの記憶装置（記録媒体）が挙げられる。
【産業上の利用可能性】
【０１０１】
本発明による画像処理システムおよび表示制御プログラムは、複写装置、レーザプリンタ、フルカラープリンタ、複合機、ファクシミリ装置等に適用することができる。
【図面の簡単な説明】
【０１０２】
【図１】実施の形態に係る画像処理システムＳ１の構成を示す概略構成図である。
【図２】実施の形態に係る画像処理システムＳ１の機能構成を示す機能ブロックである。
【図３】画像処理システムＳ１における通信シーケンス図である。
【図４】スキャナ装置ＳＣ１の第２の操作パネル２００の構成例を示す説明図である。
【図５】操作パネルリソースの管理テーブルの構成例を示す説明図である。
【図６】利用機能決定処理の処理手順を示すフローチャートである。
【図７】画像処理システムＳ１における他の通信シーケンス図である。
【符号の説明】
【０１０３】
Ｓ１  画像処理システム
ＰＣ１  情報処理装置
ＳＡ  サーバ
Ｎ  ネットワーク
Ｃ  ケーブル
ＰＲ１  プリンタ装置
１００  第１の操作パネル
１０１  取得部
１０２  選択部
１０３  設定部
１０３  格納部
１０５  制御部
１５０  通信部
１５１  印刷部
１５２  通信部
ＳＣ１  スキャナ装置
２００  第２の操作パネル
２０３  設定部
２０５  制御部
２５０  通信部
２５２  原稿読取部
２５３  画像処理部
２５４  通信部
３０１  液晶画面
３０２  スタートキー
３０３  クリアキー
３０４  矢印キー
３０５  テンキー
３０６  メニューキー
【図１】
2010199808.tif 000003
【図２】
2010199808.tif 000004
【図３】
2010199808.tif 000005
【図４】
2010199808.tif 000006
【図５】
2010199808.tif 000007
【図６】
2010199808.tif 000008
【図７】
2010199808.tif 000009